(57)【特許請求の範囲】
【請求項１】
コンテナと機能モジュールとを備えているコンテナ式データセンターにおいて、
前記コンテナは、所定の間隔で離隔配置されている複数の開口部が形成された側板を備えており、前記開口部それぞれの底部には、支持板が回転可能に設置されており、前記開口部の一側には、回転可能にドアが設置されており、前記ドアは、前記開口部の上部をカバーするように構成されており、前記支持板は、前記開口部の下部をカバーするように構成されており、前記機能モジュールは、前記開口部を通じて、前記コンテナから引き出される又は前記コンテナ内に収容されることを特徴とするコンテナ式データセンター。
【請求項２】
前記コンテナは、底板を更に備えており、前記底板において、前記開口部それぞれに対応して少なくとも１つの第一レールが設置されており、前記支持板それぞれの上には、前記第一レールに連接可能とされる少なくとも一つの第二レールが設置されており、前記機能モジュールは、対応する前記第一レール及び前記第二レールを介して、前記コンテナから引き出される又は前記コンテナ内に収容されることを特徴とする請求項１に記載のコンテナ式データセンター。
【請求項３】
前記機能モジュールは、前記コンテナ内の電子装置の熱を放熱することができる複数の冷却装置であることを特徴とする請求項２に記載のコンテナ式データセンター。
【請求項４】
前記冷却装置それぞれの底部には、フレームが設置され、前記フレームの両端には、装着部がそれぞれ設置され、前記装着部それぞれには、前記第一レール及び前記第二レールに沿ってスライド可能な車輪が装着されていることを特徴とする請求項３に記載のコンテナ式データセンター。
【請求項５】
前記冷却装置それぞれは、底壁及び前記底壁に垂直する後壁を備え、前記後壁の両側から当止板が延伸し、前記開口部それぞれの両側には、前記冷却装置の当止板の前側に当接することができるブロック部がそれぞれ設置されていることを特徴とする請求項３又は４に記載のコンテナ式データセンター。
【請求項６】
装着部それぞれには、前記装着部内に延伸し、対応する車輪に当接することができるスクリューが装着されることを特徴とする請求項４又は５に記載のコンテナ式データセンター。
【請求項７】
前記冷却装置それぞれは、前壁を備えており、前記前壁には、操作部が設置されていることを特徴とする請求項３から６の何れか一項に記載のコンテナ式データセンター。
【請求項８】
前記支持板それぞれの外側には、地面に当接することができる２つの支持ブロックが設置され、該２つの支持板の間には、前記支持ブロックを収容することができる窪み部が設けられ、前記窪み部には、前記支持ブロックを固定することができる固定部が設置されていることを特徴とする請求項１から７の何れか一項に記載のコンテナ式データセンター。
【請求項９】
前記２つの支持ブロックそれぞれには、それぞれファスニング部品が設置され、前記ファスニング部品には、貫通孔が設けられ、前記固定部それぞれにはネジ穴が設けられ、ネジは、前記貫通孔を貫通し、前記ネジ穴に螺合されることを特徴とする請求項８に記載のコンテナ式データセンター。
【発明の詳細な説明】
【技術分野】
【０００１】
本発明は、コンテナ式データセンターに関する。
【背景技術】
【０００２】
現在、自然外気を利用する冷却装置が、コンテナ式データセンターを放熱するために使用されている場合がある。しかし、従来技術においては、冷却装置及びコンテナは、指定の場所までそれぞれ輸送された後に、専門業者によって組み立てられるため、時間が掛かるだけでなく、コストも高くなることが問題であった。
【発明の概要】
【発明が解決しようとする課題】
【０００３】
本発明の目的は、上述の問題を解決するために、コンテナと共に冷却装置を輸送可能なコンテナ式データセンターを提供することである。
【課題を解決するための手段】
【０００４】
上記目的を達成するために、本発明に係るコンテナ式データセンターは、コンテナと機能モジュールとを備えており、コンテナは、所定の間隔で離隔配置されている複数の開口部が形成された側板を備えており、開口部それぞれの底部には、支持板が回転可能に設置されており、開口部の一側には、回転可能にドアが設置されており、ドアは、開口部の上部をカバーするように構成されており、支持板は、開口部の下部をカバーするように構成されており、機能モジュールは、開口部を通じて、コンテナから引き出される又はコンテナ内に収容される。
【発明の効果】
【０００５】
本発明に係るコンテナ式データセンターは、冷却装置をコンテナから引き出す又はコンテナ内に収容させることができるので、コンテナと共に冷却装置を輸送することができる。
【図面の簡単な説明】
【０００６】
【図１】本発明の実施形態に係るコンテナデータセンターの分解斜視図である。
【図２】図１に示すコンテナデータセンターの支持板の底面斜視図である。
【図３】図１に示すコンテナデータセンターの冷却装置の別の視角から見た斜視図である。
【図４】図１に示すコンテナデータセンターの組立斜視図であって、冷却装置がコンテナ内に収容されている状態を示す。
【図５】図４に示すコンテナデータセンターの組立斜視図であって、冷却装置がコンテナから引き出される状態を示す。
【発明を実施するための形態】
【０００７】
図１に示したように、本発明の実施形態に係るコンテナデータセンターは、コンテナ１００と、コンテナ１００内に装着されている複数の電子装置２００と、機能モジュールとを備えている。本実施形態において、機能モジュールは、複数の冷却装置３００を含んでいる。冷却装置３００は、電子装置２００を放熱するために使用される。
【０００８】
コンテナ１００は、上板１１０と、底板１２０と、底板１２０の前側から垂直に延伸する側板１３０とを備えている。上板１１０は、着脱可能にコンテナ１００の上部に装着されている。コンテナ１００の上部には、複数の装着口１０１が設けられている。側板１３０において、コンテナ１００の長手方向に対して平行に、複数の矩形状の開口部１３１が設けられている。各開口部１３１の両側の上部には、ドア１７０がそれぞれ設置されており、各開口部１３１の底部には、回転可能に支持板１９０が設置されている。各開口部１３１の両側から、開口部１３１内に向かって、２つのブロック部１３３がそれぞれ延伸している。各ドア１７０及び各支持板１９０には、係合部が設置されている。各係合部は、側板１３０に係合可能なラッチ部１７３と、ラッチ部１７３に回転可能に装着されているハンドル１７５とを備えている。
【０００９】
底板１２０には、各開口部１３１の両側にそれぞれ隣接して、ブロック部１３３の延伸方向に対して垂直に延伸するように２つの第一レール１２１がそれぞれ設置されている。
【００１０】
各支持板１９０には、対応する第一レール１２１にそれぞれ連接されている２つの第二レール１９１が設置されている。
【００１１】
図２に示したように、各支持板１９０の外側（図１においては、底面である）には、２つの支持ブロック１９２が回転可能に設置されており、該２つの支持ブロック１９２の間には、窪み部１９５が設けられている。各支持ブロック１９２は、複数のヒンジ１９３を介して、支持板１９０に回転可能に装着されている。各窪み部１９５内には、１つの固定部１９６が設置されている。各支持ブロック１９２の支持板１９０から離隔配置されている面は、傾斜面１９２１である。各傾斜面１９２１には、Ｌ字状のファスニング部品１９４が設置されている。各ファスニング部品１９４は、傾斜面１９２１に固定されている第一固定片１９４１と、第一固定片１９４１の一側から垂直に延伸している第二固定片１９４２とを備えている。第二固定片１９４２の両端には、貫通孔１９４３がそれぞれ設けられている。各固定部１９６には、２つのネジ穴１９６１が設けられている。
【００１２】
図３に示したように、各冷却装置３００内には、複数のファン(図示しない)が設置されている。各冷却装置３００は、底壁３１１と、底壁３１１の前側に垂直に設置されている前壁３１３と、底壁３１１の後側に垂直に設置されている後壁３１５と、底壁３１１の両端にそれぞれ垂直に設置されている２つの端壁３１７と、該２つの端壁に垂直に設置されている上壁３１９とを備えている。前壁３１３及び後壁３１５には、複数の通風孔３２０が設けられている。各端壁３１７の前側には、Ｌ字状の操作部３１７１が設置されており、各操作部３１７１は、端壁３１７に固定されている固定板３１７３と、固定板３１７３における端壁３１７に固定されている側の反対側から垂直に延伸している操作板３１７５とを備えている。また、後壁３１５の四辺からは外側に向けて当止板３１５１が延伸している。
【００１３】
底壁３１１には、中空のフレーム３２が装着されており、該フレーム３２の底面の両端には、二対の装着部３３がそれぞれ設置されている。各装着部３３には、第一レール１２１及び第二レール１９１に沿ってスライド可能な車輪３４が装着されている。各フレーム３２には、フレーム内３２に挿入され且つ対応する車輪３４に当接するように構成されているスクリュー３５が回転可能に装着されている。
【００１４】
図４に示したように、輸送する前に、先ず、上板１１０を取り外した後、起重機によって冷却装置３００を装着口１０１からコンテナ１００内に入れる。この際、車輪３４は、第一レール１２１にそれぞれ当接する。次いで、スクリュー３５を操作して、スクリュー３５を対応する車輪３４に当接させる。これにより、冷却装置３００を第一レール１２１に定位させる。この際、冷却装置３００は、１つの開口部１３１から露出する。次いで、上板１１０をコンテナ１００に装着して、ドア１７０を閉める。ドア１７０は、対応するブロック部１３３の上部にそれぞれ当接されており、支持板１９０を開口部１３１に向けて回転させることによって、該支持板１９０は、対応するブロック部１３３の下部に当接される。次いで、ハンドル１７５を回転させて、ラッチ部１７３を側板１３０に係合させる。これにより、ドア１７０及び支持板１９０をコンテナ１００に固定することができる。つまり、ドア１７０及び支持板１９０を介して、開口部１３１をカバーする。最後に、支持ブロック１９２を回転させて、支持ブロック１９２を窪み部１９５内に収容し、ネジ１９７を貫通孔１９４３を貫通させ、ネジ穴１９６１に螺合させて、支持ブロック１９２を窪み部１９５内に固定する。
【００１５】
図５に示したように、冷却装置３００を使用する際には、ドア１７０に装着されているハンドル１７５を回転させて、ラッチ部１７３を側板１３０から離脱させた後にドア１７０を開く。ネジ１９７を外して、支持板１９０と垂直する位置まで支持ブロック１９２を回転させる。支持板１９０に装着されているハンドル１７５を回転させて、対応するラッチ部１７３を側板１３０から離脱させた後に、支持板１９０を開口部１３１から離れるよう回転させて、支持ブロック１９２を地面に当接させる。この時、支持板１９０の上面は底板１２０の上面と同一平面上に位置しており、第二レール１９１は、第一レール１２１にそれぞれ連接されている。次いで、スクリュー３５を操作して、スクリュー３５を対応する車輪３４から離脱させる。次いで、操作板３１７５を操作して、コンテナ１００から冷却装置３００を引き出す。この時、冷却装置３００は、第一レール１２１から第二レール１９１にスライドする。最後に、スクリュー３５を対応する車輪３４に当接するように操作して、冷却装置３００を第二レール１９１に固定する。冷却装置３００の当止板３１５１は、ブロック部１３３の内側に当接する。これにより、冷却装置３００がコンテナ１００から離脱することを防ぐ。その後、冷却装置３００によって、コンテナ１００内の電子装置２００の熱を放熱する。コンテナ式データセンターを移動させる時、冷却装置３００は、第二レール１９１から対応する第一レール１２１までスライドし、且つ固定される。
【符号の説明】
【００１６】
１００  コンテナ
１０１  装着口
２００  電子装置
３００  冷却装置
１１０  上板
１２０  底板
１２１  第一レール
１３０  側板
１３１  開口部
１３３  ブロック部
１７０  ドア
１９０  支持板
１９１  第二レール
１９２  支持ブロック
１９３  ヒンジ
１９４  ファスニング部品
１９２１  傾斜面
１９４１  第一固定片
１９４２  第二固定片
１９４３  貫通孔
１９５  窪み部
１９６  固定部
１９７  ネジ
２００  電子装置
１９６１  ネジ穴
３１１  底壁
３１３  前壁
３１５  後壁
３１５１  当止板
３１７  端壁
３１７１  操作部
３１７３  固定板
３１７５  操作板
３１９  上壁
３２  フレーム
３２０  通風孔
３３  装着部
３４  車輪
３５  スクリュー
１７３  ラッチ部
１７５  ハンドル
【図１】
0006033896.tif 000002
【図２】
0006033896.tif 000003
【図３】
0006033896.tif 000004
【図４】
0006033896.tif 000005
【図５】
0006033896.tif 000006